(57)【要約】【課題】どのような溶媒組成液であっても、また微量サンプルであっても、更に温度に関係なく、而も溶解成分を壊すことなく各層を界面において分離する。【解決手段】層間における屈折率の違いを層界面において検出することで、比重差により複数の層に分離して液／液界面を形成する溶媒組成液の界面を検知する。そしてその結果を基に各層を界面において分離する。【選択図】なし 【特許請求の範囲】
【請求項１】
比重差により複数の層に分離して液／液界面を形成する溶媒組成液を、層間における屈折率の違いを層界面において検出することで界面を検知し、その検知結果を基に各層を界面において分離するようになしたことを特徴とする液／液界面での溶媒組成液の分離方法。
【請求項２】
処理する溶媒組成液を収容するための容器と、前記容器の底部に基部を接続し、途中部に溶媒組成液を抜き取るためのポンプと流路切換器を備えた送液管と、前記送液管における前記流路切換器と基部との間に配置した屈折率変化測定器と、溶媒組成液の回収瓶とからなり、前記ポンプと流路切換器を前記屈折率変化測定器の測定結果を基に適宜のタイミングで作動させるべくなしたことを特徴とする液／液界面での溶媒組成液の分離方法に用いる装置。
【請求項３】
屈折率変化測定器が、送液管における流路切換器と基部との間に配置した光学セルと、該光学セルを挟んで配置する光源及び受光素子とからなる屈折率変化測定器である請求項２記載の液／液界面での溶媒組成液の分離方法に用いる装置。
【発明の詳細な説明】
【技術分野】
【０００１】
本発明は、液／液界面での溶媒組成液の分離方法及びそれに用いる装置に関し、更に詳細には、比重差により複数の層に分離して液／液界面を形成する溶媒組成液を、各層の界面において分離する方法及びそれに用いる装置に係わる。
【背景技術】
【０００２】
比重差により複数の層に分離して液／液界面を形成する溶媒組成液を、各層の界面において分離する方法としては、代表的なものとして次の如きものがある。
【０００３】
それは、分液漏斗等の活用による人力による分離方法と、センサーを活用した機械的な分離方法である。そしてまた、このセンサーを活用した機械的な分離方法は、吸光度や電気伝導度、静電容量など、分離する溶媒組成液の特異な性質をモニターする方法がとられている。
【０００４】
しかし、上記従来の方法による場合には、次の如き問題点がある。即ち、分液漏斗等の活用による人力による分離方法の場合には、人力に頼るために装置化が困難であること、温度条件が室温付近に制限されること、分離の界面ぎりぎりでの分離に再現性がないこと等の問題点がある。
【０００５】
また、センサーを活用した機械的な分離方法の場合には、分離する溶媒組成液に特異な性質をモニターしているため、方法が溶媒組成液の種類によって使用に限界があり、吸光度や電気伝導度をモニターする方法では、色素や電解液を添加することが必要で、目的物の変質が懸念される状態であった。また、これらの方法ではモニターにある程度の液量が必要となり、デッドボリュームが発生するなどの欠点も生じ、少量（ｍｌオーダー、μｌオーダー）の溶液分離は困難であった。
【発明の開示】
【発明が解決しようとする課題】
【０００６】
本発明は上記の点に鑑みなされたものであって、層間における屈折率の違いを層界面において検出することで界面を検知し、その検知結果を基に各層を界面において分離するようになし、もってどのような溶媒組成液であっても、また微量サンプルであっても、更に温度に関係なく、而も溶解成分を壊すことなく各層を分離することができるようになした方法、並びにこれに用いる装置を提供せんとするものである。
【課題を解決するための手段】
【０００７】
而して、本発明の要旨とするところは、比重差により複数の層に分離して液／液界面を形成する溶媒組成液を、層間における屈折率の違いを層界面において検出することで界面を検知し、その検知結果を基に各層を界面において分離するようになしたことを特徴とする液／液界面での溶媒組成液の分離方法にある
【０００８】
また、上記方法に用いる装置は、処理する溶媒組成液を収容するための容器と、前記容器の底部に基部を接続し、途中部に溶媒組成液を抜き取るためのポンプと流路切換器を備えた送液管と、前記送液管における前記流路切換器と基部との間に配置した屈折率変化測定器と、溶媒組成液の回収瓶とからなり、前記ポンプと流路切換器を前記屈折率変化測定器の測定結果を基に適宜のタイミングで作動させるべくなしたものである。また、該装置における屈折率変化測定器の例としては、送液管における流路切換器と基部との間に配置したセルと、該セルを挟んで配置する光源及び受光素子とからなるものを挙げることができる。
【発明の効果】
【０００９】
溶液の屈折率は、溶媒組成や溶質組成、温度等の小さな物理条件等により変化するものであり、比重差により複数の層に分離して液／液界面を形成する溶媒組成液においては、各層液の屈折率は一致することはあり得ないものである。したがって、層間における屈折率の違いを層界面において検出することで界面を検出する本方法によれば、いかなる溶媒組成液の界面でも検知可能で、それにより、界面での完全分離が可能である。また、微量サンプルであっても、また温度に関係なく、而も溶解成分を壊すことなく分離することができるものである。加えて、従来困難であった溶媒抽出操作の自動化も可能となるものである。
【発明を実施するための最良の形態】
【００１０】
本発明を実施するための最良の形態は、比重差により複数の層に分離して液／液界面を形成する溶媒組成液を、層間における屈折率の違いを層界面において検出することで界面を検知し、その検知結果を基に各層を界面において分離するようになしたことにある。
【実施例】
【００１１】
以下、本発明の実施例について説明する。
図１は本発明方法に用いる装置の概略的説明図、図２乃至図４は本発明方法の原理説明図である。
【００１２】
先ず、本発明方法の原理について説明する。
図２乃至図４において１００は光学セル、１０１は光源、１０２は受光素子であり、これらをもって屈折率変化測定器が構成される。そして、溶媒１０３が光学セル１００に充満した状態を図２に示している。この状態にあっては、光学セル１００内の溶媒１０３の屈折率は均等であることから、光Ｌは屈折しないで受光素子１０２に到達する。次に、図３に示した状態は、光学セル１００内に比重差により複数の層に分離した溶媒１０３、１０４が充満した状態である。この状態にあっては溶媒１０３と溶媒１０４とは屈折率が異なることから、光Ｌは光軸Ｌ１から離れて受光素子１０２に入ることになる。したがって、光量が減少する。次に、図４に示した状態は、光学セル１００内に溶媒１０４が充満した状態である。この状態にあっては、光学セル１００内の溶媒１０４の屈折率は均等であることから、光Ｌは屈折しないで受光素子に到達するものである。
【００１３】
本発明方法は、斯かる原理に基づくものであり、比重差により複数の層に分離して液／液界面を形成する溶媒組成液を、層間における屈折率の違いを層界面において検出することで界面を検知し、その検知結果を基に各層を界面において分離するようになしたものである。
【００１４】
次に、上記方法を実施するために用いる装置について説明する。
１は処理する溶媒組成液を収容するための容器である。また、該容器１は底部を漏斗状となしている。２は基部を前記容器１の底部に接続した送液管である。また、該送液管２は、先端側の途中部に溶媒組成液を抜き取るためのポンプ３を備えると共に、該ポンプ３より基部寄りの途中部に流路切換器４を備えている。尚、本実施例では流路切換器として３方電磁弁を用いている。
【００１５】
５は屈折率変化測定器であり、前記送液管２における前記流路切換器４と基部との間に配置した光学セル６と、該光学セル６を挟んで配置する光源７及び受光素子８とをもって構成される。また、９は該屈折率変化測定器５の回路であり、屈折率変化測定器５の検知結果を基に前記ポンプ３と流路切換器４を適宜のタイミングで作動させるものである。１０は分離した溶媒組成液の回収瓶である。また、１１乃至１４は比重差の異なる溶媒組成液である。尚、この他図示はしないが分離精度を安定させるための恒温槽を用いてもよい。
【００１６】
次に、本実施例の作用について説明する。
先ず、静置して各溶媒組成液間に界面が形成された状態においてポンプ３を作動する。これにより容器１の底部から最下層の溶媒組成液１１が吸引され、送液管２から回収瓶１０に送られる。そしてこのときは屈折率変化測定器５における光学セル６には最下層の溶媒組成液１１が充満している。
【００１７】
次に、最下層とその上の溶媒組成液１２との界面が光学セル６に至ると、前記図３に示す如く、光源７からの光の量は減少して受光素子８に入る。これにより界面が検知される。界面が検知されると、屈折率変化測定器の回路９によって流路切換器４が切り換わるように信号が出力され、流路切換器４が空気側に切り換わる。
そしてポンプ３でエアーを吸引し、先に送られた最下層の溶媒組成液と後から送られる上層の溶媒組成液とを界面においてエアーで分断する。尚、分断点の調整にはタイマー等を使用する。
【００１８】
最下層の溶媒組成液の回収が終了したら、回収瓶１０をずらし、或いは送液管２のノズルをずらして上層の溶媒組成液を別の回収瓶１０に回収する。このときには流路切換器４を再び元に戻し、ポンプ３により溶液を吸引するものである。
【図面の簡単な説明】
【００１９】
【図１】本発明に用いる装置の概略的説明図である。
【図２】本発明方法の原理説明図であり、光学セル内に特定の溶媒組成液が充満した状態を示すものである。
【図３】本発明方法の原理説明図であり、光学セル内に比重差の異なる溶媒組成液が充満した状態を示すものである。
【図４】本発明方法の原理説明図であり、光学セル内に図２に示した溶媒組成液と異なる溶媒組成液が充満した状態を示すものである。
【符号の説明】
【００２０】
１  溶媒組成液の収容用容器
２  送液管
３  ポンプ
４  流路切換器
５  屈折率変化測定器
６  光学セル
７  光源
８  受光素子
９  屈折率変化測定器の回路
１０  回収瓶
１１、１２、１３、１４  溶媒組成液
【図１】
2005319353.tif 000002
【図２】
2005319353.tif 000003
【図３】
2005319353.tif 000004
【図４】
2005319353.tif 000005